(57)【要約】      （修正有）【課題】湿潤環境で使用される回路のリーク電流を補正する。【解決手段】装置２００は、電流源２１０に接続された分圧器２２２と、装置の内部湿潤場所内の湿度センサ２１２と、分圧器と湿度センサに連結された増幅器２２４と、を含む。湿度センサは、湿度レベルが上昇するにつれて高くなる電流信号を生成し、増幅器は補償出力電流を生成するために湿度センサによって生成された信号を増幅させる。増幅器は一次出力電流が上昇するにつれて高くなるレベルで湿度センサによって生成された信号を増幅させる。よって、増幅器は、補償出力電流をリーク電流に等しくするためのレベルで湿度センサによって生成された信号を増幅させる。これが電気負荷素子をしてリーク電流に影響されない電源電流として補償出力電流と組み合わされた一次出力電流を受流させる。【選択図】図３
2015106158.tif 000002
【特許請求の範囲】
【請求項１】
印刷装置であって、
プリントエンジンと、
前記プリントエンジン内に設けられ、前記プリントエンジンの外部エリアの湿度レベルより高い湿度レベルを有している内部湿潤場所と、
前記印刷装置の前記内部湿潤場所内の電流源であって、前記湿度レベルが上昇するにつれて高くなるリーク電流を受流する電流源と、
前記電流源に連結された分圧器と、
前記印刷装置の前記内部湿潤場所内に設けられた湿度センサであって、前記湿度レベルが上昇するにつれて高くなる信号を生成する湿度センサと、
前記分圧器と前記湿度センサに連結された増幅器と、
前記電流源と前記増幅器に連結された電気負荷素子と、
を含み、
前記電流源が前記電気負荷素子へ一次出力電流を送出し、
前記リーク電流の増加分だけ前記一次出力電流を低下させ、
前記増幅器が、補償出力電流を生成するために前記湿度センサによって生成された前記信号を増幅させ、
前記増幅器が、前記分圧器によって前記増幅器に提供された前記一次出力電流が上昇するにつれて高くなるレベルで前記湿度センサによって生成された前記信号を増幅させ、
前記増幅器が、前記補償出力電流を前記リーク電流に等しくさせる前記レベルにおいて前記湿度センサによって生成された前記信号を増幅させ、
前記増幅器が、前記一次出力電流を有する前記電気負荷素子へ前記補償出力電流を送出する、
印刷装置。
【請求項２】
前記内部湿潤場所内にプリント回路基板を更に含み、前記電流源と前記湿度センサが前記プリント回路基板上に配置されている請求項１に記載の印刷装置。
【請求項３】
前記補償出力電流が前記一次出力電流を設けることによって前記電気負荷素子をして前記リーク電流によって影響されない電源電流として前記補償出力電流に組み合わされた前記一次出力電流を受流させる請求項１に記載の印刷装置。
【請求項４】
前記湿度センサが、
対向端子と、
前記対向端子に接続されたインターリーブ導体と、
前記インターリーブ導体間に設けられた電気絶縁体と、
を含む請求項１に記載の印刷装置。
【請求項５】
前記電流源と前記湿度センサが被湿潤度および湿度に対してほぼ同様に反応するほぼ同じ大きさを有し互いに間隔をとって配設された素子を有している請求項１に記載の印刷装置。
【請求項６】
前記電流源と前記湿度センサが被湿潤度および湿度に対してほぼ同様に反応するほぼ同じ大きさを有し互いに間隔をとって配設された導体および絶縁体を有している請求項１に記載の印刷装置。
【発明の詳細な説明】
【技術分野】
【０００１】
本発明のシステムおよび方法は一般に回路構成のリーク電流に係り、より詳細には、湿潤環境で使用される回路のリーク電流を補正することに関する。
【背景技術】
【０００２】
一部の高電圧電源のアプリケーションでは、高電圧出力回路からのリーク電流は、リーク電流が同じ量だけ出力電流を削減するので、制限する必要がある。このようなアプリケーションの一例として、静電プリンタのバイアス転写ロール（ＢＴＲ）を充電するための高電圧直流電流源が挙げられる。典型的には、１００μＡを十分に下回る電流を得るためにはＢＴＲにおいて６ｋＶ以下の電圧が必要とされる。ＢＴＲの電流源もμＡの精度を有する必要があり、リーク電流はバイアス転写ロールの性能を実質的に低下させてしまう。
【０００３】
プリント回路基板（ＰＣＢ）の高電圧回路は、湿潤環境に置かれた場合、電流が漏洩しやすい。ＰＣＢ材料は吸水能力があるため、表面が相対的に導電性を帯び、リーク電流の原因となり得る。リーク電流を引き起こす一因は、材料特性およびＰＣＢの表面（フラックス残渣）の被湿潤レベルであった。また、この影響は特に高電圧および低電流の印加時に顕著に見られ、その動作は絶縁性に頼っていた。
【０００４】
このようなリーク電流を減らすために使用される数多くの方法が提供されている。その一つとして、高電圧回路が湿潤環境にさらされないように筐体に封入する方法が提供されている。これらの（ポッティング）工法は非常に有効であるが、相対的にコストが高い。インタフェーシングのために高電圧出力をＰＣＢ上で利用する必要がある場合、この工法では不十分であった。
【０００５】
別の方法としては、導電性遮蔽体によって高電圧（回路）が囲繞または隔離される遮蔽工法を使用する方法が提供されている。遮蔽体によってピックアップされたリーク電流を測定し、この測定値を使用して、出力電流または電圧を補正する。この方法は、遮蔽体が高電圧回路の近傍に配設され、回路が完全に囲繞されたときに最大効果を発揮する。しかしながら、このような遮蔽体を用いると、リークが増えるとともに、絶縁破壊（アーク放電／トラッキング）の潜在的な可能性が生じてしまう。更に、ＰＣＢの片面では（遮蔽体が存在しない）頂面にわたるリークを測定することができない。
【０００６】
一般にプリンタに使用される別の方法として、湿度センサを利用する方法が提供されている。この場合、一般的なマシン環境の相対的湿度を監視し、監視された湿度をプロセッサユニットへフィードバックし、画質を維持するために必要な設定値を変更する。これらの設定値の一つはＢＴＲ電流である。しかしながら、このアプローチは、高電圧電源（ＨＶＰＳ）が存在するエリアの（相対）湿度が全く異なり得ることに配慮していない。また、ＨＶＰＳのＰＣＢ表面の被湿潤度やＰＣＢのそれまでの吸水含有率が経時的な一定係数とは認められない。更に、このような方法は、制御されたＰＣＢクリーン度で作製されているＨＶＰＳに依存しているという問題があった。
【発明の概要】
【発明が解決しようとする課題】
【０００７】
本発明に例示されている装置は、内部湿潤場所（例えば、装置の外部エリアよりも高い湿度レベルを受ける内部の場所）を有している。これらの装置は、装置の内部湿潤場所内の少なくとも一つの電流源を利用し、この電流源には湿度レベルの上昇に伴って増加したリーク電流を受流する。また、電気負荷素子は電流源に接続されている。電流源は電気負荷素子へ一次出力電流を送出する。しかしながら、湿度の上昇によりリーク電流が増加した分だけ、電気負荷素子に送出される一次出力電流が低下するという問題があった。
【課題を解決するための手段】
【０００８】
このような課題を解決するために、本発明による装置は、電流源に接続された任意の分圧器と、装置の内部湿潤場所内の湿度センサと、該分圧器と該湿度センサに接続された増幅器と、を含む。湿度センサは湿度レベルが上昇するにつれて高くなった電流信号を生成し、増幅器は湿度センサによって生成された信号を増幅して、補償出力電流を生成する。一次出力電流は分圧器（あれば）によって増幅器へ供給されるので、増幅器は一次出力電流が上昇するにつれて高くなったレベルで湿度センサによって生成された信号を増幅させる。よって、増幅器は、補償出力電流をリーク電流に等しくするレベルで、湿度センサによって生成された信号を増幅させる。
【０００９】
更に、増幅器は、一次出力電流を有する電気負荷素子へ補償出力電流を送出する。これが、電気負荷素子をして、リーク電流に影響されない電源電流としての補償出力電流に組み合わされた一次出力電流を受流させる。
【００１０】
一例において、湿度センサは、対向端子と、該対向端子に接続されたインターリーブ導体と、インターリーブ導体間に配置された電気絶縁体と、を含む。更に、電流源および湿度センサは、同じプリント回路基板に配置され得、装置の湿潤場所で展開される被湿潤度や湿度に対して同様に反応するほぼ同じ大きさで互いに離間配置された素子（例えば、ほぼ同じ大きさの導体および絶縁体）を有し得る。これによって、湿度センサからの増幅された信号は電流源が受流するリーク電流に一致し、よって、一次出力電流を補う極めて有効な補償出力電流として機能することが可能になり、電気負荷素子がリーク電流に影響されない電力電流を受流することが可能となる。
【００１１】
本発明の例示的な印刷装置は、プリントエンジンと、該プリントエンジン内の内部湿潤場所（例えば、プリントエンジンの外部のエリアの湿度レベルより高い湿度レベルを受ける内部の場所）と、を有している。これらの印刷装置は印刷装置の内部湿潤場所内で少なくとも一つの電流源を利用し、この電流源は湿度レベルが上昇するにつれて高くなるリーク電流を受流する。更に、電気負荷素子は電流源に接続されている。電流源は電気負荷素子へ一次出力電流を送出する。しかしながら、上昇した湿度に起因してリーク電流が増加した分だけ、電気負荷素子に送出される一次出力電流が低下する。
【００１２】
このような課題を解決するために、本発明による印刷装置は、電流源に接続された任意の分圧器と、印刷装置の内部湿潤場所内の湿度センサと、該分圧器と該湿度センサに接続された増幅器と、を含む。湿度センサは湿度レベルが上昇するにつれて高くなる電流信号を生成し、増幅器は湿度センサによって生成された信号を増幅して、補償出力電流を生成する。一次出力電流は分圧器（あれば）によって増幅器へ供給されるので、増幅器は一次出力電流が上昇するにつれて高くなったレベルで湿度センサによって生成された信号を増幅させる。よって、増幅器は、補償出力電流をリーク電流に等しくするレベルで、湿度センサによって生成された信号を増幅させる。
【００１３】
また、増幅器は一次出力電流を有する電気負荷素子へ補償出力電流を送出する。これが電気負荷素子をしてリーク電流の影響を受けない電源電流としての補償出力電流と組み合わされた一次出力電流を受流させる。
【００１４】
一例において、湿度センサは、対向端子と、該対向端子に接続されたインターリーブ導体と、インターリーブ導体間に配置された電気絶縁体と、を含む。更に、電流源および湿度センサは、同じプリント回路基板に配置されており、印刷装置の湿潤場所で展開される被湿潤度や湿度に対して同様に反応するほぼ同じ大きさで互いに離間配置された素子（例えば、ほぼ同じ大きさの導体および絶縁体）を有し得る。これによって、湿度センサからの増幅された信号は電流源が受流するリーク電流に一致し、よって、一次出力電流を補う極めて有効な補償出力電流として機能することが可能になり、電気負荷がリーク電流に影響されない電力電流を受流することが可能となる。
【００１５】
以上および他の特徴が以下の本発明の詳細な説明において記載され、明確に理解されよう。
【図面の簡単な説明】
【００１６】
添付図面を参照して様々な例示的なシステムおよび方法を以下に詳細に説明する。
【００１７】
【図１】図１は、本発明の装置を概略的に示す図である。
【図２】図２は、本発明の装置を概略的に示す図である。
【図３】図３は、本発明の装置を概略的に示す図である。
【図４】図４は、本発明の装置を概略的に示す図である。
【図５】図５は、本発明の装置を概略的に示す図である。
【図６】図６は、本発明の装置を概略的に示す図である。
【発明を実施するための形態】
【００１８】
上述したように、このようなリーク電流を回避するかまたは削減するために数多くの方法が提供されている。しかしながら、各々が数えきれないほどの課題を抱えている。したがって、本発明の例示的な装置はＰＣＢ回路図に感湿素子を提供する。例えば、感湿素子（湿度センサ）は櫛形パターンの導体および絶縁体と、インターリーブトラックの各々に接続された二つの端子と、を有する小エリアであってもよい。
【００１９】
湿度センサは、高電圧電流源の出力電圧に比例する電圧が印加される高インピーダンスのトランス抵抗増幅器に接続されている。トランス抵抗増幅器はセンサ電流を高電圧出力においてリーク電流を表す電圧へ変換する。電圧はＨＶＰＳ出力電流を補正するために使用され、ＰＣＢの吸水や吸着に関連した局所的湿度の測度である。高圧回路およびセンサは、これらの両方が同じ表面条件を有する同じＰＣＢ材料上に配置されるので、同じ湿度にさらされる。よって、適切なスケーリングが変換回路によって使用されるので、補正電圧は高湿度によって生じた出力リーク電流を効果的に補償する。
【００２０】
図１は、典型的な高電圧電流源を概略的に示す図である。図１において、整流１０２を有するフライバック変換器１１８はＤＣ高電圧を生成するために使用される。図１において、Ｉ０は出力電流１０６であり、負荷１１６に供給される。リークがない（Ｉｌｅａｋ＝０）場合、誤差増幅器１０８の反転入力における電圧はＩ０．ＲＳである。出力電流１０６は（電圧源１１０により）ＶＳＥＴによって設定され、Ｉ０＝ＶＳＥＴ／ＲＳとなる。リーク１１２がある場合、誤差増幅器１０８の反転入力における電圧（Ｉ０＋Ｉｌｅａｋ）．ＲＳであり、よって、出力電流１０６Ｉｏ＝ＶＳＥＴＲＳ−Ｉｌｅａｋとなる。言い換えれば、出力電流１０６は、リーク電流１１２が（アイテム１１４によって示されるように）出力電流の成分であると考えられるので、Ｉｌｅａｋが予想より低いことから、この回路は幾分有効であるが、誤差増幅器１０８はリーク１１２を適切に補償するとはいえない。
【００２１】
本明細書中の図面において同一の識別番号は同一または同様の構成要素を指している。図２は、以上のような課題を解決するために、トランス抵抗増幅器１２２と、減算論理素子１２４と、分圧器１２６と、を有する湿度センサ１２０を含む。図中、Ｒｈは湿度センサ１２０の抵抗を表し、リーク１１２は抵抗器Ｒｌｅａｋでモデル化され得る。
【００２２】
図２に示したシステムにおいて、電流Ｉｌｅａｋ１１２を補償し、誤差増幅器１０８の反転入力が、あたかもリークがなかったかの如く、Ｉ０．ＲＳを受信することを可能にする。
トランス抵抗増幅器１２２の出力は、
【数１】
2015106158.tif 000003
および
【数２】
2015106158.tif 000004
で表される。
よって、補償電流ＩＲＣは、等式
【数３】
2015106158.tif 000005
で表される。
これは、Ｉｌｅａｋ１１２に等しい。
【数４】
2015106158.tif 000006
【００２３】
以上の等式は、湿度センサ１２０（ＩＲｈ）を流れる電流がリーク電流１１２に比例していることを示している。これはすべての湿度レベルだけでなくすべての出力電圧レベル（ＶＯ）にも有効である。より具体的には、リーク電流１１２は、分圧器１２６によって感知される電流源２１０からの出力電圧ＶＯに依存するが、トランス抵抗増幅器１２２を介して分圧器１２６からＶＭ＝ＶＯ．βの送信によるＩＲｈにも同様の依存傾向が必要とされる。より具体的には、分圧器１２６は以下の等式に使用される：
【数５】
2015106158.tif 000007
式（１）は、
【数６】
2015106158.tif 000008
または、
【数７】
2015106158.tif 000009
に置き換えられる。
Ｖ０は省略できる：
【数８】
2015106158.tif 000010
これを異なる等式で表すと、
【数９】
2015106158.tif 000011
。
【００２４】
当業者は、様々な抵抗素子（Ｒｆ、Ｒｃ、βなど）が必要に応じて各個別の特定状況ごとに正確なスケーリングを実行するように調整かつカスタマイズされ得ることを理解するであろう。更に、当業者は、図１および２が単に二つの具体例にすぎず、以下に提示される特許請求の範囲が、図３〜５に示したより汎用化された構造などの（アナログおよびディジタルの両面で）より汎用化された構造に適用可能であることを理解するであろう。よって、図２は必要とされる動作の単なる表示にすぎない。本発明が、アナログおよびディジタルの両面でより多くのインプリメンテーションの可能性があることが理解されよう。
【００２５】
図３に示したように、本明細書の例示的な装置（その一つをアイテム２００として示す）は、少なくとも一つの内部湿潤場所２０２（例えば、装置２００の外部エリアの湿度レベルより高い湿度レベルを受ける内部の場所２０２）を有している。相対的に高い湿度エリア２０２は、装置２００の内部全体（ライン２０４で示す）より小さいかまたは装置２００の内部全体が相対的に高い湿度を受ける可能性がある。
【００２６】
装置２００は同装置２００の内部湿潤場所２０２内で少なくとも一つの電流源２１０を利用する。また、電気負荷素子２２０は電流源２１０に接続されている。電流源２１０は電気負荷素子２２０へ一次出力電流（例えば、直流（ＤＣ））を提供する。電流源２１０は、湿潤場所２０２の湿度レベルが高くなるにつれて増加した不要なリーク電流を受け、このような湿度の上昇に起因してリーク電流が増加した分だけ電気負荷素子２２０へ送出される一次出力電流を低下させる。
【００２７】
このような課題を解決するために、本発明による装置２００は、電流源２１０に接続された分圧器２２２と、装置２００の内部湿潤場所２０２内の湿度センサ２１２と、該分圧器２２２と該湿度センサ２１２に接続された増幅器２２４と、を含む。湿度センサ２１２は湿度レベルが上昇するにつれて高くなった電流信号を生成し、増幅器２２４は湿度センサ２１２によって生成された信号を増幅して、補償出力電流を生成する。増幅器２２４は、一次出力電流が上昇するにつれて高くなったレベルで湿度センサ２１２が生成した信号の増幅を提供する（図３に示したように、一次出力電流は分圧器２２２によって増幅器２２４へ送出される）。よって、増幅器２２４は、補償出力電流をリーク電流と同等にするレベルで湿度センサ２１２が生成した信号を増幅させる。
【００２８】
また、増幅器２２４は、一次出力電流を有する電気負荷素子２２０へ補償出力電流を送出する。これにより電気負荷素子２２０がリーク電流の影響を受けない（リーク電流によって低下しない）電源電流としての補償出力電流と組み合わされた一次出力電流を受けることが可能になる。
【００２９】
また、電流源２１０と湿度センサ２１２は、同一のプリント回路基板２１４上に配置され、装置２００の湿潤場所２０２内の被湿潤度および湿度に対してほぼ同様に反応するほぼ同じ大きさを有し互いに間隔をとって配設されている素子（例えば、ほぼ同じ大きさの導体および絶縁体）を有することができる。ここでも、被湿潤度および湿度はリーク電流の多くを生じる役割を果たす。電流源２１０と湿度センサ２１２がほぼ同様の大きさの導体および絶縁体を有することで、湿度センサ２１２からの増幅信号を電流源２１０が受けるリーク電流に一致させることを可能とし、よって、一次出力電流を補う極めて有効な補償出力電流として機能し、電気負荷素子２２０がリーク電流に影響されない電力電流を受けることができる。
【００３０】
一例において、湿度センサ２１２は、対向端子、これらの端子に接続されたインターリーブ導体、インターリーブ導体（例えば、図２に示したアイテム１２０において示されたインターリーブ導体）間に発生する電気絶縁性を含むことができる。しかしながら、当業者は、任意の湿度センサ（または湿度および被湿潤度によって影響される導電性を有する素子／回路）は要素２１２として使用されてよいことを理解するであろう。図４および５は、分圧器２２２を設けていないこと以外は図３と同様の構造を示している。図４の構造もまた、増幅器２２４へ出力電流を供給し、増幅器２２４は一次出力電流が増加するにつれて出力電流を補償する際に増加を提供することを可能にする。図５の構造は、一次出力電流の増加に伴って出力電流を補償する際に増加を提供しないが、図５の構造は、リーク電流を補償することを補助する。また、図５に示した構造は、低コストで、小型であるが、ある状況に対して十分に対応できる構造である。図４の構造も、増幅器が一次出力電流の増加を補償することを可能にする。よって、図４の構造において、性能低下がなく、低コストで、（図からもわかるように）小型構造である。
【００３１】
図６は、印刷装置３０４であるコンピュータ装置を示しており、印刷装置３０４は、本発明のシステムおよび方法と共に使用され、例えば、プリンタ、複写機、複合機、多機能装置（ＭＦＤ）などを含み得る。印刷装置３０４は、プロセッサ３２４と、コンピュータ装置３００の外部のコンピュータネットワーク３０２と、に動作可能に連結されたコントローラ／プロセッサ３２４および通信ポート（入力／出力）３２６を含む。更に、印刷装置３０４は、（電源３２２を介して）外部電源３２８からの供給電源上で動作するグラフィックユーザインターフェースアセンブリ３３６などの少なくとも一つのアクセサリ機能コンポーネントを含むことができる。
【００３２】
入出力装置３２６はコンピュータ装置３００に対して通信をやり取りするために使用される。プロセッサ３２４はコンピュータ装置の様々なアクションをコントロールする。（光、磁気、コンデンサベースなどの）非一時的なコンピュータ記憶媒体装置３３０はプロセッサ３２４によって読み出し可能であり、プロセッサ３２４が本明細書に記載したような様々な機能をコンピュータ装置に実行させるように実施する指令を格納する。よって、図６に示したように、筐体は電源３２２によって交流（ＡＣ）電源３２８から供給された電力で動作する一以上の機能的コンポーネントを有している。電源３２２は蓄電素子（例えば、バッテリなど）を含むことができる。
【００３３】
印刷装置３０４は、プロセッサ３２４に動作可能に接続された各々が上記に例示し説明した構造（図２〜５参照）を含む少なくとも一つのマーキング装置（プリントエンジン）３１０、給紙装置３１４からこのマーキング装置（複数可）３１０へ媒体シートを供給するように位置決めされた媒体経路３１６などを含む。プリントエンジン（複数可）から様々なマーキングを受けとった後、媒体シートは、必要に応じて、様々な印刷済みシートを折り畳み、ホチキス止め、仕分けなどを行うことができるフィニッシャ３０８へパスされる。また、印刷装置３０４は、（電源３２２を介して）外部電源３２８からの供給電源上で動作する（スキャナ／ドキュメントハンドラ３１２などの）少なくとも一つのアクセサリ機能コンポーネントを含むこともできる。
【００３４】
図３〜６に概略的に示したすべての要素は、現在知られているか、または今後開発され得るかにかかわらず、上述の機能と同じ機能を実行するすべての周知のデバイスを網羅することを意図している。よって、本明細書に例示したものは、本明細書の構造をより明確に理解してもらうために利用されているにすぎず、以下の特許請求の範囲を限定するものではない。
【００３５】
数多くのコンピュータ装置が上述されている。チップベースの中央処理装置（ＣＰＵ）、グラフィックユーザインターフェース（ＧＵＩ）を含む入力／出力デバイス、メモリ、比較器、プロセッサなどを含むコンピュータ装置は良く知られており、Ｄｅｌｌコンピュータ社（米国、テキサス州、ラウンドロック）、アップルコンピュータ社（米国、カリフォルニア州、クパチーノ）などの製造者から容易に入手できる。このようなコンピュータ装置は、入力／出力装置、電源、プロセッサ、電子記憶メモリ、配線などを一般に含むが、読者の皆様には、本明細書に記載されているシステムおよび方法の顕著な側面をより良好に理解していただきたいので、ここでは詳述しない。同様に、スキャナおよび他の同様の周辺機器は、ゼロックス社（米国、コネティカット、ノーウォーク）から入手できるが、説明をより明確にし、本発明をより良好に理解していただきたいので、ここでは、詳述しない。
【００３６】
本明細書中で使用されている用語「プリンタ」または「印刷装置」は、ディジタル複写機、製本機、ファクシミリ装置、複合機などの任意の装置を包含し、任意の目的のために印刷出力機能を実行する。プリンタ、印刷エンジンなどの詳細は周知であり、本開示が提示する特徴に注目してもらうために本明細書では詳細な説明はしない。本発明によるシステムおよび方法は、本明細書にカラー、モノクロでプリントするか、または、カラーまたはモノクロの画像データを取り扱うシステムおよび方法を包含することができる。すべての前述のシステムおよび方法は、具体的に、静電グラフィックおよび／またはゼログラフィックマシンおよび／またはプロセスに適用可能である。
【００３７】
更に、「接触（ｔｏｕｃｈｉｎｇ、）」、「上に（ｏｎ）」、「直接接触している（ｉｎ  ｄｉｒｅｃｔ  ｃｏｎｔａｃｔ）」、「当接している（ａｂｕｔｔｉｎｇ）」、「直接隣り合っている（ｄｉｒｅｃｔｌｙ  ａｄｊａｃｅｎｔ  ｔｏ）」などの用語は、少なくとも一つの要素が（他の要素が上記の要素を分離させずに）他の要素に物理的に接触することを意味する。また、自動化（ａｕｔｏｍａｔｅｄ）または「自動的に（ａｕｔｏｍａｔｉｃａｌｌｙ）」の用語は、（マシンまたはユーザによって）プロセスがスタートすると、一以上のマシンがユーザからの更なる入力がなくてもプロセスを実行することを意味する。
【００３８】
望ましくは、上記に開示した、他の、または代替的な特徴および機能を多くの他の異なるシステムまたはアプリケーションに組み合わせてもよいことが理解されよう。以下の特許請求の範囲に意図して包合される、現在は予見または予期できないが、今後、当業者によって様々な代替、修正、変形、または改良が行われる可能性がある。ある特定のクレーム自体に具体的に定義されていなければ、本発明のシステムおよび方法のステップまたは構成要素は、任意の特定の順序、数、位置、大きさ、形状、角度、色、または材料を制約するものとして、上記の実施例から示唆または取り込むことはできない。
【図１】
2015106158.tif 000012
【図２】
2015106158.tif 000013
【図３】
2015106158.tif 000014
【図４】
2015106158.tif 000015
【図５】
2015106158.tif 000016
【図６】
2015106158.tif 000017